【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動きベクトルを検出して符号化する画像符号化装置であって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部と、
前記予測モード判定部から供給される動き情報を符号化する動き情報符号化部とを備え、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像符号化装置。
【請求項２】
動画像の各ピクチャを分割したブロック単位で動きベクトルを検出して符号化する画像符号化方法であって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、
前記予測モード判定ステップにより選択されたモードで使用される動き情報を符号化する動き情報符号化ステップとを有し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像符号化方法。
【請求項３】
動画像の各ピクチャを分割したブロック単位で動きベクトルを検出して符号化する画像符号化プログラムであって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、
前記予測モード判定ステップにより選択されたモードで使用される動き情報を符号化する動き情報符号化ステップとをコンピュータに実行させ、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする画像符号化プログラム。
【請求項４】
動画像の各ピクチャを分割したブロック単位で動きベクトルを検出して符号化した符号列を送信する送信装置であって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部と、
前記予測モード判定部から供給される動き情報を符号化する動き情報符号化部とを備え、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする送信装置。
【請求項５】
動画像の各ピクチャを分割したブロック単位で動きベクトルを検出して符号化した符号列を送信する送信方法であって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、
前記予測モード判定ステップにより選択されたモードで使用される動き情報を符号化する動き情報符号化ステップとを有し、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする送信方法。
【請求項６】
動画像の各ピクチャを分割したブロック単位で動きベクトルを検出して符号化した符号列を送信する送信プログラムであって、
符号化対象ブロックの予測方向が双方向予測の場合に用いる差分ベクトルの本数を選択可能であり、
前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、
前記予測モード判定ステップにより選択されたモードで使用される動き情報を符号化する動き情報符号化ステップとをコンピュータに実行させ、
前記差分ベクトルの対象となる前記参照ブロックの動き情報に含まれる前記一方の動きベクトルは、参照ブロック候補の動き情報から特定される、予測方向によって決定される動きベクトルである
ことを特徴とする送信プログラム。
【手続補正２】
【補正対象書類名】明細書
【補正対象項目名】発明の名称
【補正方法】変更
【補正の内容】
【発明の名称】画像符号化装置、画像符号化方法、画像符号化プログラム、送信装置、送信方法及び送信プログラム
【手続補正３】
【補正対象書類名】明細書
【補正対象項目名】０００１
【補正方法】変更
【補正の内容】
【０００１】
本発明は、動き補償予測を用いた動画像符号化技術に関し、特に動き補償予測に利用する画像符号化装置、画像符号化方法、画像符号化プログラム、送信装置、送信方法及び送信プログラムに関する。
【手続補正４】
【補正対象書類名】明細書
【補正対象項目名】００１２
【補正方法】変更
【補正の内容】
【００１２】
動画像の各ピクチャを分割したブロック単位で動きベクトルを検出して符号化する画像符号化装置であって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部と、前記予測モード判定部から供給される動き情報を符号化する動き情報符号化部とを備え、前記差分ベクトルの対象となる前記参照ブロックの動き情報に含まれる前記一方の動きベクトルは、参照ブロック候補の動き情報から特定される、予測方向によって決定される動きベクトルであることを特徴とする画像符号化装置を提供する。
動画像の各ピクチャを分割したブロック単位で動きベクトルを検出して符号化する画像符号化方法であって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、前記予測モード判定ステップにより選択されたモードで使用される動き情報を符号化する動き情報符号化ステップとを有し、前記差分ベクトルの対象となる前記参照ブロックの動き情報に含まれる前記一方の動きベクトルは、参照ブロック候補の動き情報から特定される、予測方向によって決定される動きベクトルであることを特徴とする画像符号化方法を提供する。
動画像の各ピクチャを分割したブロック単位で動きベクトルを検出して符号化する画像符号化プログラムであって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、前記予測モード判定ステップにより選択されたモードで使用される動き情報を符号化する動き情報符号化ステップとをコンピュータに実行させ、前記差分ベクトルの対象となる前記参照ブロックの動き情報に含まれる前記一方の動きベクトルは、参照ブロック候補の動き情報から特定される、予測方向によって決定される動きベクトルであることを特徴とする画像符号化プログラムを提供する。
動画像の各ピクチャを分割したブロック単位で動きベクトルを検出して符号化した符号列を送信する送信装置であって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定部と、前記予測モード判定部から供給される動き情報を符号化する動き情報符号化部とを備え、前記差分ベクトルの対象となる前記参照ブロックの動き情報に含まれる前記一方の動きベクトルは、参照ブロック候補の動き情報から特定される、予測方向によって決定される動きベクトルであることを特徴とする送信装置を提供する。
動画像の各ピクチャを分割したブロック単位で動きベクトルを検出して符号化した符号列を送信する送信方法であって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、前記予測モード判定ステップにより選択されたモードで使用される動き情報を符号化する動き情報符号化ステップとを有し、前記差分ベクトルの対象となる前記参照ブロックの動き情報に含まれる前記一方の動きベクトルは、参照ブロック候補の動き情報から特定される、予測方向によって決定される動きベクトルであることを特徴とする送信方法を提供する。
動画像の各ピクチャを分割したブロック単位で動きベクトルを検出して符号化した符号列を送信する送信プログラムであって、符号化対象ブロックの予測方向が双方向予測の場合に用いる差分ベクトルの本数を選択可能であり、前記符号化対象ブロックの動き情報として、予測方向が双方向予測の場合であって、かつ前記符号化対象ブロックに隣接する参照ブロックの動き情報に含まれる一方の動きベクトルを修正する場合において、前記参照ブロックのインデックス、及び前記符号化対象ブロックの動きベクトルと前記参照ブロックの動き情報に含まれる前記一方の動きベクトルとの差分ベクトルを符号化対象として使用するモードを選択可能な予測モード判定ステップと、前記予測モード判定ステップにより選択されたモードで使用される動き情報を符号化する動き情報符号化ステップとをコンピュータに実行させ、前記差分ベクトルの対象となる前記参照ブロックの動き情報に含まれる前記一方の動きベクトルは、参照ブロック候補の動き情報から特定される、予測方向によって決定される動きベクトルであることを特徴とする送信プログラムを提供する。